(57)【要約】【課題】耐衝撃性を向上させることができる表示装置を提供すること。【解決手段】第一の基板２０と、第二の基板３０と、複数の画素ＰＩＸと、複数の画素ＰＩＸの各々に形成されたシャッタ機構部３２と、第一の基板２０と第二の基板３０との間に封入された流体Ｌと、第一の基板２０または第二の基板３０の一方の基板の流体Ｌとは反対側に形成された緩衝部４０とを有する表示装置１であって、シャッタ機構部３２は第二の基板３０に形成され、且つ、可動すると共に画素ＰＩＸの光透過率を制御するシャッタ部３１を有し、緩衝部４０は、一方の基板の流体Ｌとは反対側に対向する第三の基板４１と、一方の基板と第三の基板４１とを貼り合せるシール部４２と、一方の基板と第三の基板４１とシール部４２との間に形成された所定の間隙とを有する。【選択図】図５
2013020105.tif 000002
【特許請求の範囲】
【請求項１】
第一の基板と、前記第一の基板と対向する第二の基板と、複数の画素と、前記複数の画素の各々に形成されたシャッタ機構部と、前記第一の基板と前記第二の基板との間に封入された流体と、前記第一の基板または前記第二の基板の一方の基板の前記流体とは反対側に形成された緩衝部とを有する表示装置であって、
前記シャッタ機構部は前記第二の基板に形成され、且つ、可動すると共に前記画素の光透過率を制御するシャッタ部を有し、
前記緩衝部は、前記一方の基板の前記流体とは反対側に対向する第三の基板と、前記一方の基板と前記第三の基板とを貼り合せるシール部と、前記一方の基板と前記第三の基板と前記シール部との間に形成された所定の間隙とを有することを特徴とする表示装置。
【請求項２】
前記所定の間隙には、前記流体と同じ材質の流体が封入されていることを特徴とする請求項１に記載の表示装置。
【請求項３】
前記流体はシリコーンオイルまたはフッ素オイルであることを特徴とする請求項２に記載の表示装置。
【請求項４】
前記第一の基板と前記第二の基板との間に前記作動流体を注入する第一の注入口と、前記所定の間隙に前記流体を注入する第二の注入口とを有し、
前記第一の注入口と前記第二の注入口とは、平面体に見て少なくとも一部が重畳していることを特徴とする請求項２または請求項３に記載の表示装置。
【請求項５】
前記第一の注入口と前記第二の注入口とは、平面体に見た時に同じ位置に形成されていることを特徴とする請求項４に記載の表示装置。
【請求項６】
前記所定の間隙には、空気が充填されていることを特徴とする請求項１に記載の表示装置。
【請求項７】
前記所定の間隙には、緩衝材が封入されていることを特徴とする請求項１に記載の表示装置。
【請求項８】
前記緩衝材は、ゲル材であることを特徴とする請求項７に記載の表示装置。
【請求項９】
前記緩衝材は、反応硬化型の樹脂であることを特徴とする請求項７に記載の表示装置。
【請求項１０】
前記緩衝部は、前記第三の基板の前記一方の基板とは反対側に対向する第四の基板と、前記第三の基板と前記第四の基板との間に形成された所定の第二の間隙とを有することを特徴とする請求項１から請求項９の何れか１項に記載の表示装置。
【請求項１１】
前記緩衝部は、前記第三の基板の前記一方の基板とは反対側に、互いに対向する複数の第四の基板と、前記第三の基板と前記第四の基板の一つとの間、及び複数の前記第四の基板の間に形成された所定の複数の第二の間隙とを有し、
前記第四の基板と前記第二の間隙とが交互に対向配置されていることを特徴とする請求項１から請求項９の何れか１項に記載の表示装置。
【請求項１２】
前記第一の基板と前記第二の基板の内、前記一方の基板とは異なる他方の基板に対向配置される照明部を有し、
前記照明部は、前記他方の基板の側から前記複数の画素に光を照射することを特徴とする請求項１から請求項１１の何れか１項に記載の表示装置。
【請求項１３】
前記第一の基板には、複数の第一の開口部を有する遮光膜が形成され、
前記複数の画素の各々は少なくとも一つの前記第一の開口部を有し、
前記シャッタ部は少なくとも一つの第二の開口部を有し、
前記複数の画素の各々は、前記第一の開口部と前記第二の開口部とを介して、前記照明部の光を透過することを特徴とする請求項１２に記載の表示装置。
【請求項１４】
前記一方の基板は前記第一の基板であることを特徴とする請求項１から請求項１３の何れか１項に記載の表示装置。
【請求項１５】
前記一方の基板は前記第二の基板であることを特徴とする請求項１から請求項１３の何れか１項に記載の表示装置。
【発明の詳細な説明】
【技術分野】
【０００１】
本発明は、遮光部材の移動によって各画素の光強度が制御される表示装置に関する。
【背景技術】
【０００２】
従来、表示パネルに形成された複数の画素毎の光強度を制御して画像を表示するようにした表示装置がある。例えば、液晶表示装置は、液晶分子の方向を変化させて画素毎に光強度を制御するものである。あるいは、機械的に遮光部材を移動させることによって各画素の光強度が制御される表示装置が提案されている（例えば、特許文献１参照）。
【先行技術文献】
【特許文献】
【０００３】
【特許文献１】特開２００８−１９７６６８号公報
【発明の概要】
【発明が解決しようとする課題】
【０００４】
特許文献１に記載された表示装置は、表示装置を構成する基板に各画素に対応して形成された光が透過可能な光透過部を有し、該光透過部の形状に対応して形成された遮光部材を移動可能に設けられたシャッタ機構部が設けられ、このシャッタ機構部による遮光部材の移動によって画素毎の光強度を制御するようにしている。
【０００５】
しかしながら、特許文献１に記載された表示装置では、落下等によって衝撃が与えられた場合、シャッタ機構部が損傷し易いという問題があった。
【０００６】
本発明は、上記に鑑みてなされたものであって、耐衝撃性を向上させることができる表示装置を提供することを目的とする。
【課題を解決するための手段】
【０００７】
上述した課題を解決し、目的を達成するために、本発明にかかる表示装置は、第一の基板と、前記第一の基板と対向する第二の基板と、複数の画素と、前記複数の画素の各々に形成されたシャッタ機構部と、前記第一の基板と前記第二の基板との間に封入された流体と、前記第一の基板または前記第二の基板の一方の基板の前記流体とは反対側に形成された緩衝部とを有する表示装置であって、前記シャッタ機構部は前記第二の基板に形成され、且つ、可動すると共に前記画素の光透過率を制御するシャッタ部を有し、前記緩衝部は、前記一方の基板の前記流体とは反対側に対向する第三の基板と、前記一方の基板と前記第三の基板とを貼り合せるシール部と、前記一方の基板と前記第三の基板と前記シール部との間に形成された所定の間隙とを有することを特徴とする。
【０００８】
また、本発明にかかる表示装置は、上記の発明において、前記所定の間隙には、前記流体と同じ材質の流体が封入されていることを特徴とする。更に、前記流体はシリコーンオイルまたはフッ素オイルであることを特徴とする。
【０００９】
また、本発明にかかる表示装置は、上記の発明において、前記第一の基板と前記第二の基板との間に前記作動流体を注入する第一の注入口と、前記所定の間隙に前記流体を注入する第二の注入口とを有し、前記第一の注入口と前記第二の注入口とは、平面体に見て少なくとも一部が重畳していることを特徴とする。更に、前記第一の注入口と前記第二の注入口とは、平面体に見た時に同じ位置に形成されていることを特徴とする。
【００１０】
また、本発明にかかる表示装置は、上記の発明において、前記所定の間隙には、空気が充填されていることを特徴とする。或いは、前記所定の間隙には、緩衝材が封入されていることを特徴とする。尚、前記緩衝材は、ゲル材または反応硬化型の樹脂であることを特徴としてもよい。
【００１１】
また、本発明にかかる表示装置は、上記の発明において、前記緩衝部は、前記第三の基板の前記一方の基板とは反対側に対向する第四の基板と、前記第三の基板と前記第四の基板との間に形成された所定の第二の間隙とを有することを特徴とする。更に、前記緩衝部は、前記第三の基板の前記一方の基板とは反対側に、互いに対向する複数の第四の基板と、前記第三の基板と前記第四の基板の一つとの間、及び複数の前記第四の基板の間に形成された所定の複数の第二の間隙とを有し、前記第四の基板と前記第二の間隙とが交互に対向配置されていることを特徴とする。
【００１２】
また、本発明にかかる表示装置は、上記の発明において、前記第一の基板と前記第二の基板の内、前記一方の基板とは異なる他方の基板に対向配置される照明部を有し、前記照明部は、前記他方の基板の側から前記複数の画素に光を照射することを特徴とする。
【００１３】
また、本発明にかかる表示装置は、上記の発明において、前記第一の基板には、複数の第一の開口部を有する遮光膜が形成され、前記複数の画素の各々は少なくとも一つの前記第一の開口部を有し、前記シャッタ部は少なくとも一つの第二の開口部を有し、前記複数の画素の各々は、前記第一の開口部と前記第二の開口部とを介して、前記照明部の光を透過することを特徴とする。
【発明の効果】
【００１４】
本発明にかかる表示装置は、前記表示パネルが前記第一の基板あるいは前記第二の基板に対して間隔を空けて向かい合うように配置された光透過性基板と、前記光透過性基板と前記第一の基板あるいは前記第二の基板との間に枠状に形成されたシール部と、前記光透過性基板と前記第一の基板あるいは前記第二の基板と前記シール部とによって形成された収容空間とを含む緩衝部を有してなるので、前記表示パネルにかかる衝撃が前記緩衝部によって分散され、結果的に耐衝撃性を向上させることができる。
【図面の簡単な説明】
【００１５】
【図１】図１は、本発明の実施の形態にかかる表示装置の全体構成の模式図である。
【図２】図２は、図１に示した表示パネルの一部断面を示した斜視図である。
【図３】図３は、図２に示したシャッタ機構部の拡大斜視図である。
【図４】図４は、図１に示した表示パネルの表示領域の等価回路図である。
【図５】図５は、図１に示した表示パネルの要部断面図および照明装置を示した図である。
【図６】図６は、図１に示した第一の基板を表示装置の表示面側から視た平面図である。
【図７】図７は、変形例１の表示装置の表示パネルの要部断面図および照明装置を示した図である。
【図８】図８は、変形例２の表示装置の表示パネルの要部断面図および照明装置を示した図である。
【図９】図９は、変形例３の表示装置の表示パネルの要部断面図および照明装置を示した図である。
【図１０】図１０は、変形例４の表示装置の表示パネルの要部断面図および照明装置を示した図である。
【図１１】図１１は、変形例５の表示装置の表示パネルの要部断面図および照明装置を示した図である。
【発明を実施するための形態】
【００１６】
以下、図面を参照して、本発明にかかる表示装置の好適な実施の形態を詳細に説明する。
【００１７】
（実施の形態）
図１は、本発明の実施の形態にかかる表示装置１の全体構成の模式図である。図２は、図１に示した表示パネル１０の一部断面を示した斜視図である。図３は、図２に示したシャッタ機構部３２の拡大斜視図である。図４は、図１に示した表示パネル１０の表示領域ＡＲの等価回路図である。
本発明の実施の形態にかかる表示装置１は、表示パネル１０、照明装置５０、制御部６０を有してなる。
【００１８】
まず、表示パネル１０について説明する。
表示パネル１０は、図１および図２に示すように、第一の基板２０と、第二の基板３０と、第一の基板２０と第二の基板３０とに挟持される後述する作動流体Ｌと、緩衝部４０とを有してなる。
第一の基板２０は、表示パネル１０の背面側に設けられ、画素毎で光を透過させることが可能な基板である。この第一の基板２０は、ガラス等からなる後述する光透過性基板ＳＵＢ１の上面に後述する光吸収性樹脂膜ＢＭ（遮光膜）が蒸着されている。この光吸収性樹脂膜ＢＭには、例えば、カーボンブラックあるいはチタンブラック等の光吸収性の材料が用いられる。この光吸収性樹脂膜ＢＭは、光透過性基板ＳＵＳ１の上面のほぼ全域に形成されるが、各画素ＰＩＸに対応する位置の光吸収性樹脂膜ＢＭは除去されており、光透過部Ａ（開口部）が形成され、この光透過部Ａ（開口部）を介して光が透過されるようになっている。
【００１９】
第二の基板３０は、後述する遮光部材としてのシャッタ部３１を移動させるシャッタ機構部３２が画素ＰＩＸ毎に設けられ、かつ作動流体Ｌを介して第一の基板２０と対向配置される基板である。この第二の基板３０は、複数の走査線ＧＬ（ＧＬ1，…，ＧＬｊ，…，ＧＬｍ：ただしｊ，ｍは自然数）、複数のデータ線ＤＬ（ＤＬ1，…，ＤＬｉ，…，ＤＬｎ：ただしｉ，ｎは自然数）、走査ドライバ３３、データドライバ３４および複数のシャッタ機構部３２を有してなる。
各走査線ＧＬは、第二の基板３０の表示領域ＡＲで図中Ｘ方向に延在し、Ｙ方向に並設されてなる。各データ線ＤＬは、走査線ＧＬとの交差部では走査線ＧＬと絶縁されて、図中Ｙ方向に延在し、Ｘ方向に並設されてなる。これら各線ＧＬ，ＤＬによって囲まれた各領域がそれぞれ画素ＰＩＸとなる。
走査ドライバ３３は、各走査線ＧＬに例えば図中上から下にかけて順次走査信号を供給するものである。各走査線ＧＬは、その一端が延在され、走査ドライバ３３に接続されている。
データドライバ３４は、走査信号の供給タイミングに合わせて、各データ線ＤＬに映像信号を供給するものである。
【００２０】
シャッタ機構部３２は、後述するシャッタ部３１の移動によって各画素ＰＩＸを透過する光の強度を変化させるものである。より具体的には、シャッタ機構部３２は、第二の基板３０の作動流体Ｌ側の面に画素ＰＩＸ毎に設けられ、照明装置からの光を画素ＰＩＸ毎に表示面側へ通過、あるいは遮断するためのものである。
このシャッタ機構部３２は、図３に示すように、シャッタ部３１およびアクチュエータ部３５を有してなる。
【００２１】
シャッタ部３１は、長方形状の板状であり、遮光部材として機能する。シャッタ部３１は、後述する光透過部Ａの形状に対応させた形状を有してなる。すなわち、シャッタ部３１の移動によって、光透過部Ａを透過する光が通過、あるいは遮断することができるように開口３１ａおよび遮光部３１ｂが形成されている。図３においては、シャッタ部３１に開口３１ａが二つ形成されているが、二つに限定されるものではなく、一つでも、三つ以上でもよい。
【００２２】
アクチュエータ部３５は、開アクチュエータ３６と、閉アクチュエータ３７とを有してなる。
開アクチュエータ３６は、シャッタ部３１を開くように、すなわち照明装置５０の光を通過させるように駆動させるものである。より具体的には、開アクチュエータ３６は、シャッタ部３１に形成された二つの開口３１ａが光透過部Ａと向かい合う位置にシャッタ部３１を移動させる。この開アクチュエータ３６は、第一電極部３６１および第二電極部３６２を有してなる。
【００２３】
第一電極部３６１は、第一電位印加部３６１ａおよび一対の第一可動部３６１ｂを有してなる。
第一電位印加部３６１ａは、支柱部３６１ａａを有してなり電位が印加される部分である。
一対の第一可動部３６１ｂは、一端が第一電位印加部３６１ａの支柱部３６１ａａ上部に繋がる固定端となり、他端が自由端となっている。各第一可動部３６１ｂは、自由端が第二電極部３６２の後述する直線部３６２ｂｂに可及的に近づくように形成されている。
【００２４】
第二電極部３６２は、一対の第二電位印加部３６２ａおよび一対の第二可動部３６２ｂを有してなる。
一対の第二電位印加部３６２ａは、支柱部３６２ａａを有してなり、電位が印加される部分である。
各第二可動部３６２ｂは、一端が第二電位印加部３６２ａの支柱部３６２ａａ上部に繋がり、他端がシャッタ部３１に繋がってなる。この第二可動部３６２ｂは、シャッタ部３１の短手方向の端面に平行に形成された直線部３６２ｂｂを有してなる。
第一電位印加部３６１ａと、第二電位印加部３６２ａとが所定以上の電位差となるように電位が印加されることによって、一対の第一可動部３６１ｂと、一対の第二可動部３６２ｂとが、距離の近い第一可動部３６１ｂの自由端側から貼りつくので、シャッタ部３１が開アクチュエータ３６側に移動される。このようにして移動されたシャッタ部３１は、その開口３１ａが後述する光透過部Ａと向かい合う位置に移動配置される。
【００２５】
一方、閉アクチュエータ３７は、シャッタ部３１を閉じるように、すなわち照明装置５０の光を遮断するように駆動させるものである。より具体的には、シャッタ部３１の遮光部３１ｂが後述する光透過部Ａと向かい合う位置にシャッタ部３１を移動させる。この閉アクチュエータ３７は、第一電極部３７１および第二電極部３７２を有してなる。
【００２６】
第一電極部３７１は、第一電位印加部３７１ａおよび一対の第一可動部３７１ｂを有してなる。
第一電位印加部３７１ａは、支柱部３７１ａａを有してなり電位が印加される部分である。
一対の第一可動部３７１ｂは、一端が第一電位印加部３７１ａの支柱部３７１ａａ上部に繋がる固定端となり、他端が自由端となっている。各第一可動部３７１ｂは、自由端が第二電極部３７２の後述する直線部３７２ｂｂに可及的に近づくように形成されている。
【００２７】
第二電極部３７２は、一対の第二電位印加部３７２ａおよび一対の第二可動部３７２ｂを有してなる。
一対の第二電位印加部３７２ａは、支柱部３７２ａａを有してなり、電位を印加される部分である。
各第二可動部３７２ｂは、一端が第二電位印加部３７２ａの支柱部３７２ａａ上部に繋がり、他端がシャッタ部３１に繋がってなる。この第二可動部３７２ｂは、シャッタ部３１の短手方向の端面に平行に形成された直線部３７２ｂｂを有してなる。
第一電位印加部３７１ａと、第二電位印加部３７２ａとが所定以上の電位差となるように電位が印加させることによって、一対の第一可動部３７１ｂと、一対の第二可動部３７２ｂとが、距離の近い第一可動部３７１ｂの自由端側から貼りつくので、シャッタ部３１が閉アクチュエータ３７側に移動される。このようにして移動されたシャッタ部３１は、遮光部３１ｂが後述する光透過部Ａと向かい合う位置に移動配置される。
【００２８】
また、第一の基板２０と第二の基板３０との間には、図２に示すように、枠状に形成されたシール部７０によって作動流体Ｌ（流体、例えばオイル）が封入されている。この作動流体Ｌ（流体）は、シャッタ機構部３２の駆動電圧を低減させるための比誘電率を有し、かつ潤滑剤として機能するための粘度を有し、かつ光の透過率が高いものが適しており、例えば、シリコーンオイル、フッ素オイルを用いる。また、表示パネル１０は、第一の基板２０と第二の基板３０との間に作動流体Ｌを注入するための第一の封入口７１を有してなる。
このようなシャッタ機構部３２によって、シャッタ部３１が移動されることによって各画素ＰＩＸを透過する光の強度が制御されるようになっている。
【００２９】
緩衝部４０は、表示パネル１０にかかる衝撃を分散するための緩衝機能を有する部分である。この緩衝部４０は、第二の基板３０に対して間隔を空けて向かい合うように配置された光透過性基板４１と、第二の基板３０と光透過性基板４１との間に枠状に形成されたシール部４２と、第二の基板３０と光透過性基板４１とシール部４２とによって形成された収容空間４３（所定の間隙）内に緩衝材としての作動流体Ｌが注入されている。
光透過性基板４１は、例えば、ガラス等からなる光透過性の基板である。
シール部４２は、例えば、ビーズ状のスペーサが混入された合成樹脂からなり、収容空間４３（所定の間隙）内に作動流体Ｌを封止し、かつ第二の基板３０と光透過性基板４１とを所定の間隔を空けて保持するものである。このシール部４２は、収容空間４３内に作動流体Ｌを注入するための第二の注入口４４を有してなる。この第二の注入口４４は、第一の注入口７１の近傍（例えば、平面的に見て同じ位置、平面的に見て少なくとも一部が重畳する位置）に配置される。
このような、緩衝部４０は、表示パネル１０に衝撃が与えられた場合、光透過性基板４１と収容空間４３内の作動流体Ｌとによって衝撃を表示パネル１０面内に分散させるようになっている。しかも、第二の注入口４４が第一の注入口７１の近傍に配置されているので、第二の注入口４４および第一の注入口７１の両方から、第一の基板２０と第二の基板３０との間、及び緩衝部４０の収容空間４３の各々に、同時に作動流体Ｌを注入し易いようになっている。
【００３０】
照明装置５０は、発光ダイオード等によって実現される。照明装置５０は、表示パネル１０の背面側に配置され、照明部として表示パネル１０の目視面の裏面側から光を照射するものである。
制御部６０は、ＣＰＵ等によって実現され、表示装置１の上述した各部と電気的に接続され、表示装置１全体の動作を制御する。また、制御部６０は、外部システムから入力された映像データを一時的に保持する図示しないメモリ等を有する場合もある。
【００３１】
次に、表示パネル１０の画素ＰＩＸの構成を説明する。各画素ＰＩＸは、図４に示すように、一つの走査線ＧＬと、画素ＰＩＸの各列をアドレス指定する二つのデータ線ＤＬとを有してなる。二つのデータ線ＤＬのうち一方は、シャッタ部３１を開駆動させる旨の信号を送るデータ線ＤＬであり、もう一方は、シャッタ部３１を閉駆動させる旨の信号を送るデータ線ＤＬである。
また、各画素ＰＩＸは、二つの薄膜トランジスタＴＦＴおよび二つのキャパシタＣを有している。二つの薄膜トランジスタＴＦＴのゲートは、走査線ＧＬに電気的に接続されている。また、二つの薄膜トランジスタＴＦＴのうち一方の薄膜トランジスタＴＦＴのソースは、シャッタ部３１を開駆動させる旨の信号を送るデータ線ＤＬに電気的に接続される。この薄膜トランジスタＴＦＴのドレインは、画素ＰＩＸ内の一つのキャパシタＣの一方の電極と、開アクチュエータ３６の一方の電位印加部とに並列に電気的に接続される。このキャパシタＣのもう一方の電極は接地される。
同様に、画素ＰＩＸ内のもう一方の薄膜トランジスタＴＦＴのソースは、シャッタ部３１を閉駆動させる旨の信号を送るデータ線ＤＬに電気的に接続される。この薄膜トランジスタＴＦＴのドレインは、画素ＰＩＸ内の一つのキャパシタＣの一方の電極と、閉アクチュエータ３７の一方の電位印加部とに並列に電気的に接続される。このキャパシタＣのもう一方の電極は接地される。
【００３２】
次に、図５および図６を用いて表示パネル１０の断面構成について説明する。図５は、図１に示した表示パネル１０の要部断面図および照明装置５０を示した図である。図６は、図１に示した第一の基板２０を表示装置１の表示面側から視た平面図である。
まず、第二の基板３０について説明する。なお、便宜上、第二の基板３０の第一の基板２０側の面を上面として説明する。
第二の基板３０は、ガラス等からなる光透過性基板ＳＵＢ２の上面に、誘電体層ＤＥ１が蒸着される。この誘電体層ＤＥ１は、例えば、ＳｉО2、Ｓｉ3Ｎ4からなる。
この誘電体層ＤＥ１の上面には、第一の導電層Ｅ１が蒸着され、複数の走査線ＧＬがパターン形成される。各画素ＰＩＸ内の走査線ＧＬの一部は、薄膜トランジスタＴＦＴのゲートを形成するようになっている。
【００３３】
この第一の導電層Ｅ１の上面には誘電体層ＤＥ２が蒸着されている。この誘電体層ＤＥ２は、例えば、ＳｉО2、Ｓｉ3Ｎ4からなる。
誘電体層ＤＥ２の上面には、アモルファスシリコン層ＡＳが蒸着され、薄膜トランジスタＴＦＴのソース、ドレイン、およびチャンネル領域がパターン形成されている。
アモルファスシリコン層ＡＳの上面には、第二の導電層Ｅ２が蒸着され、複数のデータ線ＤＬがパターン形成される。この第２の導電層Ｅ２の一部は、薄膜トランジスタＴＦＴのソースおよびドレイン領域への接点を形成されている。
【００３４】
なお、キャパシタＣは、第一の導電層Ｅ１および第二の導電層Ｅ２によって形成された平板と、その間に挟まれた誘電体によって構成されている。
第二の導電層Ｅ２の上面には、誘電体層ＤＥ３が蒸着されている。
この誘電体層ＤＥ３の上面には、犠牲メカニカル層ＳＤが蒸着されている。犠牲メカニカル層ＳＤおよび誘電体層ＤＥ３には、アクチュエータ部３５が第二の導電層Ｅ２に電気的に接続されるように図示しない導通穴が形成される。
【００３５】
犠牲メカニカル層ＳＤの上面には、シャッタ機構部形成層ＳＨが蒸着され、シャッタ部３１およびアクチュエータ部３５の形状に形成される。このようにして形成されたシャッタ機構部３２は、上述の図示しない導通穴を介して第二の基板３０に固定されるようになっている。また、犠牲メカニカル層ＳＤは、除去されるため、シャッタ部３１と誘電体層ＤＥ３との間に隙間が形成され、シャッタ部３１がアクチュエータ部３５によって移動可能に支持されるようになっている。
尚、上記に述べた、光透過性基板ＳＵＢ２上に形成される、シャッタ機構部３２を含む各種構成要素及び各種層は、本実施の携帯の一例である。よって、本願発明の光透過性基板ＳＵＢ２上に形成される各種構成要素及び各種層の構成は、上記で述べた構成に限定されるものではない。
【００３６】
次に、第一の基板２０について説明する。なお、便宜上、第一の基板２０の第二の基板３０側の面を上面として説明する。第一の基板２０は、ガラス等からなる光透過性基板ＳＵＢ１の上面に光吸収性樹脂膜ＢＭが蒸着されている。この光吸収性樹脂膜ＢＭは、例えば、カーボンブラックあるいはチタンブラック等の光吸収性の材料が用いられる。
この光吸収性樹脂膜ＢＭとからなる層の各画素ＰＩＸに対応する位置に光透過部Ａが形成されている。光透過部Ａは、光吸収性樹脂膜ＢＭが除去された部分である。光透過部Ａは、図６に示すように、長方形状であり、各画素ＰＩＸに並列に二つ設けられている。
【００３７】
次に、緩衝部４０について説明する。緩衝部４０は、光透過性基板４１と第二の基板３０とがシール部４２を介して貼り合わされ、光透過性基板４１と第二の基板３０とシール部４２とによって収容空間４３（所定の間隙）が形成される。
このような構成の第一の基板２０と第二の基板３０との間、および収容空間４３内に第一の注入口７１およびその近傍の第二の注入口４４から作動流体Ｌが注入される。なお、第一の注入口７１および第二の注入口４４は、作動流体の注入が完了されると図示しない封止材によって開口が封止される。
【００３８】
本発明の実施の形態にかかる表示装置１は、表示パネル１０が第二の基板３０に対して間隔を空けて向かい合うように配置された光透過性基板４１と、光透過性基板４１と第二の基板３０との間に枠状に形成されたシール部４２と、光透過性基板４１と第二の基板３０とシール部４２とによって形成された収容空間４３とを含む緩衝部４０を有してなるので、表示パネル１０にかかる衝撃が緩衝部４０によって分散され、結果的に耐衝撃性を向上させることができる。
【００３９】
また、本発明の実施の形態にかかる表示装置１は、第二の注入口４４が第一の注入口７１の近傍（例えば、平面的に見て同じ位置、平面的に見て少なくとも一部が重畳する位置）に配置されているので、第二の注入口４４および第一の注入口７１の両方から同時に作動流体Ｌを注入することが容易となり、結果的に製造工程を簡略化することができる。
【００４０】
（変形例１）
次に、図７を用いて本発明の実施の形態の表示装置１の変形例１について説明する。図７は、変形例１の表示装置２の表示パネル１１の要部断面図および照明装置５０を示した図である。
本発明の実施の形態の表示装置１では、収容空間４３内に緩衝材として作動流体Ｌを封止するものを示したが、この変形例１の表示装置２では、収容空間４３内に緩衝材を封入していない点で表示装置１と異なる。即ち、本変形例１においては、収容空間４３は空気（大気）で満たされている。
なお、その他の構成は実施の形態と同様であり、実施の形態と同一構成部分には同一符号を付している。
【００４１】
この変形例１の表示装置２は、収容空間４３内の空気が緩衝材としての機能をなしているので、本発明の実施の形態にかかる表示装置１と同様に耐衝撃性を向上させることができる。
【００４２】
（変形例２）
次に、図８を用いて本発明の実施の形態の表示装置１の変形例２について説明する。図８は、変形例２の表示装置３の表示パネル１２の要部断面図および照明装置５０を示した図である。
本発明の実施の形態の表示装置１では、収容空間４３内に緩衝材として作動流体Ｌを封止するものを示したが、この変形例２の表示装置３では、収容空間４３内に緩衝材としてゲル材Ｇを封入している点で表示装置１と異なる。
なお、その他の構成は実施の形態と同様であり、実施の形態と同一構成部分には同一符号を付している。
【００４３】
この変形例２の表示装置３は、収容空間４３内のゲル材Ｇが緩衝材としての機能をなしているので、本発明の実施の形態にかかる表示装置１と同様に耐衝撃性を向上させることができる。
【００４４】
（変形例３）
次に、図９を用いて本発明の実施の形態の表示装置１の変形例３について説明する。図９は、変形例３の表示装置４の表示パネル１３の要部断面図および照明装置５０を示した図である。
本発明の実施の形態の表示装置１では、収容空間４３内に緩衝材として作動流体Ｌを封止するものを示したが、この変形例３の表示装置４では、収容空間４３内に緩衝材として反応硬化型の樹脂Ｒを封入している点で表示装置１と異なる。
なお、その他の構成は実施の形態と同様であり、実施の形態と同一構成部分には同一符号を付している。
【００４５】
反応硬化型の樹脂Ｒは、例えば、縮合硬化型シリコーンゴム（ＲＴＶゴム）が用いられる。このような反応硬化型の樹脂Ｒは収容空間４３に封入した後に、硬化させることができるので、気泡が混入されないようにして収容空間４３内に樹脂を封止することができる。
この変形例３の表示装置４は、収容空間４３内の反応硬化型の樹脂Ｒが緩衝材としての機能をなしているので、本発明の実施の形態にかかる表示装置１と同様に耐衝撃性を向上させることができる。
【００４６】
（変形例４）
次に、図１０を用いて本発明の実施の形態の表示装置１の変形例４について説明する。図１０は、変形例４の表示装置５の表示パネル１４の要部断面図および照明装置５０を示した図である。
本発明の実施の形態の表示装置１では、１層の緩衝部４０を有してなるものを示したが、この変形例４の表示装置５では、２層の緩衝部４０、８０を有してなる点で表示装置１と異なる。
なお、その他の構成は実施の形態と同様であり、実施の形態と同一構成部分には同一符号を付している。
【００４７】
表示装置５は、緩衝部４０の光透過性基板４１の表示面側にさらに緩衝部８０が重ねて設けられてなる。緩衝部８０は、光透過性基板４１に対して間隔を空けて向かい合うように配置された光透過性基板８１と、光透過性基板４１と光透過性基板８０との間に枠状に形成されたシール部８２と、光透過性基板４１と光透過性基板８１とシール部８２とによって形成された収容空間８３内に緩衝材として作動流体Ｌが注入されている。
【００４８】
この変形例４の表示装置５は、２層に重ねられた緩衝部４０、８０によって衝撃の波がより多く反射および屈折されるので、１層の緩衝部４０を有してなる実施の形態の表示装置１に比して耐衝撃性をより高めることができる。
また、この変形例４においては、緩衝材が封入されている収容空間４３，８３と、収容空間４３，８３よりも硬い光透過性基板４１、８１とが互い違いに配置されている。柔らかい構成要素（即ち、収容空間４３，８３）と、硬い構成要素（即ち、光透過性基板４１、８１）が連続することで、衝撃の波が分散される。このことも、変形例４の耐衝撃性をより高めることができる要因である。
なお、この変形例４の表示装置５は、各収容空間４３，８３に緩衝材として作動流体Ｌが封入されるものを例示したが、これに限らず、上述したような緩衝材Ｌ，Ｇ，Ｒを各収容空間４３，８３に封入するようにしてもよい。
また、この変形例４の表示装置５は、緩衝部４０、８０が２層であるものを例示したが、これに限らず、緩衝部が２層以上重ねられるようにしてもよい。
【００４９】
（変形例５）
次に、図１１を用いて本発明の実施の形態の表示装置１の変形例５について説明する。図１１は、変形例５の表示装置６の表示パネル１５の要部断面図および照明装置５０を示した図である。
本発明の実施の形態の表示装置１では、第一の基板２０が表示パネル１０の背面側に設けられるものを例示したが、この変形例５の表示装置６は、第二の基板３０が表示パネル１０の背面側に設けられている点で表示装置１と異なる。
なお、その他の構成は実施の形態と同様であり、実施の形態と同一構成部分には同一符号を付している。
【００５０】
表示装置６は、緩衝部９０を有してなる。緩衝部９０は、第一の基板２０に対して間隔を空けて向かい合うように配置された光透過性基板９１と、第一の基板２０と光透過性基板９１との間に枠状に形成されたシール部９２と、第一の基板２０と光透過性基板９１とシール部９２とによって形成された収容空間９３内に緩衝材として作動流体Ｌが注入される。
この変形例５の表示装置６は、表示パネル１０にかかる衝撃が緩衝部９０によって分散され、結果的に耐衝撃性を向上させることができる。
また、変形例５においても、変形例４で説明したように緩衝部を２層以上重ねる構成にしてもよい。
【００５１】
なお、本発明の実施の形態にかかる表示装置１、２、３、４、５、６は、第一の基板２０に光吸収性樹脂膜ＢＭが形成されるものを例示したが、これに限らない。すなわち、第二の基板３０側に光吸収性樹脂膜ＢＭを形成するようにしてもよい。
【００５２】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００５３】
１、２、３、４、５、６  表示装置
１０、１１、１２、１３、１４、１５  表示パネル
２０      第一の基板
３０      第二の基板
３１      シャッタ部
３１ａ    開口
３１ｂ    遮光部
３２      シャッタ機構部
３３      走査ドライバ
３４      データドライバ
３５      アクチュエータ部
３６      開アクチュエータ
３７      閉アクチュエータ
４０、８０、９０  緩衝部
４１、８１、９１  光透過性基板
４２、８２、９２  シール部
４３、８３、９３  収容空間
４４      第二の注入口
５０      照明装置
６０      制御部
７０      シール部
７１      第一の注入口
３６１、３７１  第一電極部
３６１ａ、３７１ａ  第一電位印加部
３６１ａａ、３７１ａａ  支柱部
３６１ｂ、３７１ｂ  第一可動部
３６２、３７２  第二電極部
３６２ａ、３７２ａ  第二電位印加部
３６２ａａ、３７２ａａ  支柱部
３６２ｂ、３７２ｂ  第二可動部
３６２ｂｂ、３７２ｂｂ  直線部
ＳＵＢ１、ＳＵＢ２  光透過性基板
ＢＭ      光吸収性樹脂膜
Ａ        光透過部
ＰＩＸ    画素
ＡＳ      アモルファスシリコン層
ＴＦＴ    薄膜トランジスタ
Ｅ１      第一の電導層
Ｅ２      第二の導電層
Ｃ        キャパシタ
ＤＥ１、ＤＥ２、ＤＥ３  誘電体層
ＳＤ      犠牲メカニカル層
ＳＨ      シャッタ機構部形成層
Ｌ        作動流体
Ｇ        ゲル材
Ｒ        反応硬化型の樹脂
ＡＲ      表示領域
【図１】
2013020105.tif 000003
【図２】
2013020105.tif 000004
【図３】
2013020105.tif 000005
【図４】
2013020105.tif 000006
【図５】
2013020105.tif 000007
【図６】
2013020105.tif 000008
【図７】
2013020105.tif 000009
【図８】
2013020105.tif 000010
【図９】
2013020105.tif 000011
【図１０】
2013020105.tif 000012
【図１１】
2013020105.tif 000013